(57)【特許請求の範囲】
【請求項１】
遊技盤の裏面に、少なくとも二カ所以上の係合受部が一体に形成された係合受部材と、入賞玉を入賞玉集合樋へ誘導するための案内路が備えられた案内路形成部材が取り付けられるとともに、この案内路形成部材に入賞玉集合カバーを重ね合わせた状態で前記係合受部材に対応して配された係合部材を、前記係合受部材に係合させることによって取り付けられる入賞玉集合カバーの取付構造であって、
前記係合部材は、前記係合受部材に対して非係合状態である解除位置と、係合受部材に対して係合するロック位置との間でスライド変位可能となっているとともに操作部及び弾性突片を備え、前記係合部材が前記ロック位置にあるとき前記弾性突片が前記入賞玉集合カバーに設けた当接部に係合して前記解除位置への戻りが規制され、前記係合部材が前記解除位置にあるとき前記弾性突片が前記入賞玉集合カバーに設けた係止爪用凹部に係合することを特徴とする入賞玉集合カバーの取付構造。
【請求項２】
請求項１に記載のものであって、前記係合部材には更に保持凹部が形成され、前記係合部材が前記ロック位置にあるときに前記入賞玉集合カバーに設けた保持突部と前記保持凹部とが係合することを特徴とする入賞玉集合カバーの取付構造。
【発明の詳細な説明】
【０００１】
【発明の属する技術分野】
本発明は、遊技盤に入賞玉集合カバーを取り付けるための取付構造に関するものである。
【０００２】
【従来の技術】
この種の取付構造としては、実公平７−４５２５８号公報に開示されたものが知られている。このものでは、遊技盤の裏面の４隅に取付部材が配され、各取付部材に備えられた係止片によって入賞玉集合カバーを取り付けるようにしている。これに対応して、入賞玉集合カバーの４隅にはそれぞれ嵌合凹部が切り欠き形成されている。したがって、入賞玉集合カバーを遊技盤の裏面に取り付けるためには、各取付部材をそれぞれ嵌合凹部に嵌め合わせながら入賞玉集合カバーを遊技盤の裏面に重ね合わせ、さらに取付部材の係止片を操作して入賞玉集合カバーに係止させればよい。
【０００３】
なお、遊技盤の裏面には遊技領域に設けられた各入賞玉受入装置に対応してレール状の案内部材が配されており、入賞玉集合カバーはこれら案内部材の蓋をして各入賞玉受入装置に入賞した入賞玉が案内部材に誘導されて入賞玉集合樋へ集められるようにしている。
【０００４】
【発明が解決しようとする課題】
上記の取付構造による場合、入賞玉集合カバーを取り付ける前には、案内部材と取付部材を装着しておかねばならないのであるが、これらは別部品として設定されているため個別の取り付け作業を行い、個別に各々の位置決めをしておかねばならない。特に、取付部材は４カ所においてそれぞれ正しく位置決めされておらねばならないことから、作業が煩雑化し作業性をより低下させる原因にもなる。さらに、取付部材と案内部材とを個別に必要とする構造では、部品管理の面からも不利である。
【０００５】
また、係止片には、入賞玉集合カバーと遊技盤が外れる方向に対する解除規制手段が設けられていないため、係止操作後にこの係合が外れてしまう虞もあった。
本発明は、上記事情に鑑みてなされたものであり、その目的は、遊技盤の裏面に入賞玉集合カバーを簡単に取り付けることができると共に、不用意に外れることがない入賞玉集合カバーの取付構造を提供するところにある。
【０００６】
【課題を解決するための手段】
上記目的を達成するために、請求項１の発明に係る入賞玉集合カバーの取付構造は、遊技盤の裏面に、少なくとも二カ所以上の係合受部が一体に形成された係合受部材と、入賞玉を入賞玉集合樋へ誘導するための案内路が備えられた案内路形成部材が取り付けられるとともに、この案内路形成部材に入賞玉集合カバーを重ね合わせた状態で前記係合受部材に対応して配された係合部材を、前記係合受部材に係合させることによって取り付けられるものであって、前記係合部材は、前記係合受部材に対して非係合状態である解除位置と、係合受部材に対して係合するロック位置との間でスライド変位可能となっているとともに操作部及び弾性突片を備え、前記係合部材が前記ロック位置にあるとき前記弾性突片が前記入賞玉集合カバーに設けた当接部に係合して前記解除位置への戻りが規制され、前記係合部材が前記解除位置にあるとき前記弾性突片が前記入賞玉集合カバーに設けた係止爪用凹部に係合することを特徴とする。
【０００７】
請求項２の発明は、請求項１に記載のものであって、前記係合部材には更に保持凹部が形成され、前記係合部材が前記ロック位置にあるときに前記入賞玉集合カバーに設けた保持突部と前記保持凹部とが係合することを特徴とする。
【０００８】
【発明の作用および効果】
請求項１の発明によれば、遊技盤の裏面に係合受部材と案内路形成部材を装着する。そして、その後に案内路形成部材に対して入賞玉集合カバーを重ね合わせ、解除位置にある各係合部材をロック位置にまで変位させて対応する係合受部材にそれぞれ係合させれば、入賞玉集合カバーの取り付けが完了する。ロック位置で係合部材は入賞玉集合カバーの当接部に係合することで解除位置への戻りが規制されて偶発的な係合解除が防止される。また、係合部材が解除位置にあるときには、弾性突片が入賞玉集合カバーの係止爪用凹部に係合することでその位置に保持される。
【０００９】
この場合において、係合受部材が案内路形成部材に一体に設けられている場合には、案内路形成部材についてのみ遊技盤への位置決めを行えば、自動的に係合受部材に対する位置決めもなされる。したがって、本発明では従来の場合のように、これらを個別に位置決めして取り付ける煩わしさから解放され、また部品点数も減少できるため、コストの低減と部品管理の容易化が図れる。
一方、係合受部材と案内路形成部材とが別体で形成されている場合には、遊技盤が新しく開発された場合にも、案内路形成部材のみをその新しい遊技盤に対応すれば足りる。このため、金型の形成が少なくてよい。
【００１０】
また、請求項２の発明によれば、係合部材がロック位置にあるときに、その保持凹部と入賞玉集合カバーの保持突部とが係合して二カ所で係合解除が規制されるため、偶発的な係合解除をいっそう確実に防止できる。
【００１１】
【発明の実施の形態】
＜第１実施形態＞
次に、本発明の入賞玉集合カバーの取付構造を具体化した第１実施形態について図１〜図１５を参照して説明する。
【００１２】
図１４には、パチンコ機の正面図を示した。額縁状に形成されたパチンコ機の前面枠１１には、金枠１２が嵌め込まれており、その金枠１２の開口のうち下側開口部分は前面板１３によって塞がれている。この前面板１３には、打球を貯留して打球発射装置（図示せず）に打球を供給する上受け皿１４が取付られている。また、金枠１２の開口のうち、上側開口部分には窓枠１５が嵌め込まれ、そこには透明な板硝子１６が嵌め込まれている。さらに、前面枠１１のうち、前面板１３の下方部分には賞球を貯留する下受け皿１７及び打球発射装置を操作するハンドル１８が設けられている。前面枠１１の裏面側には、図示しない遊技盤取付枠が設けられており、そこには図１に示す遊技盤１９が装着されるようになっている。このようにして、窓枠１５内に遊技盤１９が配置される。また、この遊技盤１９の前面には、遊技領域が形成されており、そこには、各種の入賞玉受入装置や、可変表示装置、装飾ランプ等が配されている。
【００１３】
次に、図１に示すように遊技盤１９の裏面には、案内路形成部材２０が取り付けられた後、その案内路形成部材２０を覆うように入賞玉集合カバー２１が取り付けられる。以下、順に各々の構成について詳細に説明する。
遊技盤１９には、ほぼ中央に開口部１９Ａが形成されており、この開口部１９Ａを介して遊技領域に取り付けられている可変表示装置等の後端部が、裏面側に突出するようになっている。また、この開口部１９Ａを取り囲む所定の位置には計４個の凹部１９Ｂが形成されている。この凹部１９Ｂは、ルータ加工によって形成されるものであり、略長方形状にされる。さらに、この遊技盤１９の下端部中央部分には、アウト玉を排出するアウト玉出口１９Ｃが設けられ、その他には遊技領域の複数箇所に配された各入賞玉受入装置に対応して図示しない入賞玉排出口等が形成されている。
【００１４】
案内路形成部材２０は、ほぼ方形状をなす樹脂製の板であり、その中央部には遊技盤１９の開口部１９Ａに対応した位置に、これよりもやや大きい方形状をなす開口部２０Ａが形成されている。また、上部には、中継基板取付台３７が延出形成されており、そこには図１５に示すように中継基板３８が取り付けられるようになっている。この中継基板３８には、図示しない機構板の裏面側へ突出する接続端子３９及び遊技領域に配される各種装飾ランプや可変表示装置等への配線を一旦中継するための中継コネクタ４０等が配設されている。さらに、この案内路形成部材２０には、遊技領域に配される各入賞玉受入装置に対応して複数の案内路２８が裏面側（遊技盤１９の裏面に整合する側とは反対側）に膨出するように形成されている。各案内路２８は遊技盤１９と対向する側に開口する樋状に形成されて、図示しない入賞玉排出口に対して整合可能となっており、各入賞玉受入装置に入賞した入賞玉を案内路２８に沿って下方へ案内することができるようにしている。また、案内路２８の下端は下方へ開口し、ここから案内路２８内を通ってきた入賞玉を落下させ、さらに、図示しない入賞玉集合樋へ落とし込ませて集合させることができるようになっている。そして、入賞玉集合樋に集められた入賞玉は入賞玉処理機構において一個宛処理され、所定の個数の賞品玉が遊技者に払い出されるようになっている。
【００１５】
また、案内路形成部材２０には、その４隅部分、即ち遊技盤１９の凹部１９Ｂに対応する位置に係合受部材２２が一体に形成されている。この各係合受部材２２は、図５に示すように、案内路形成部材２０の裏面から直角に立ち上がり形成されるとともに、その内部には相互に対向する側の面（上下に位置する係合受部材２２同士が対向する側の面）に開口を有する係止片結合室２３が形成されている。そして、この係止片結合室２３内の天井面の奥部には、保持突部２４が形成されている。また、係合受部材２２の基端部２２Ａは、上記凹部１９Ｂの形状に対応して枠状に張り出して、表面側（遊技盤１９の裏面に整合する面）に僅かに突出している。そして、案内路形成部材２０を遊技盤１９の裏面に取り付ける際には、この各基端部２２Ａを遊技盤１９の凹部１９Ｂに嵌め込むことにより案内路形成部材２０の位置決めがされるようになっている。各係合受部材２２の上下両側方には、遊技盤１９と案内路形成部材２０を締め付けるためのねじ２６を通す取付孔２５が形成されている。
【００１６】
入賞玉集合カバー２１は、樹脂により案内路形成部材２０より僅かに大きな方形状をなして形成されており、案内路形成部材２０を裏面側から覆うことができるようにされている。この入賞玉集合カバー２１にも案内路形成部材２０の開口部２０Ａと同様に、遊技盤１９の開口部１９Ａに対応した位置に開口部２１Ａが形成されている。この開口部２１Ａは、案内路形成部材２０の開口部２０Ａとほぼ同じ大きさに形成され、入賞玉集合カバー２１を案内路形成部材２０に取り付けたときに開口部２０Ａと開口部２１Ａが整合するようになっている。また、入賞玉集合カバー２１の左右両縁部及び上縁部の一部（図６中、左右両縁部及び上縁部の一部）は僅かに表面側に立ち上がり形成されており、入賞玉集合カバー２１が遊技盤１９に取り付けられると、遊技盤１９との間に案内路形成部材２０を覆うことができる空間を形成するようになっている。なお、入賞玉集合カバー２１の下縁部は、左右両端部分が上記左右両縁部に連なって立ち上り形成されているが、その他の部分はそのようには形成されていない。このため、入賞玉集合カバー２１を遊技盤１９に取り付けた際には、下面に遊技盤１９との間に開口を形成して案内路２８から落下する入賞玉がこの開口を介して入賞玉集合樋に集められるようになっている。
【００１７】
さらに、入賞玉集合カバー２１の４隅部分、即ち上記案内路形成部材２０に設けられた各係合受部材２２に対応する位置には、図６に示すように、それぞれロック機構２９が構成されている。このロック機構２９は、係止片収容凹部３０内に設けられており、これらは図２及び図７に示すように、入賞玉集合カバー２１の表面側から側面にかけて長細く凹み形成されている。この係止片収容凹部３０の一方の端部（上側の係止片収容凹部では上端部、下側の係止片収容凹部では下端部）には挿通孔３０Ａが形成されており、入賞玉集合カバー２１を遊技盤１９の裏面に組付けると、案内路形成部材２０の係合受部材２２がここから係止片収容凹部３０内に突出するようになっている。
【００１８】
また、係止片収容凹部３０において上記した挿通孔３０Ａとは反対側の端部には、段差状に形成され一端側（係合受部材２２が突出する側）を開口する嵌合部３１が設けられている。さらに、係止片収容凹部３０の底面には、嵌合部３１の開口縁部から挿通孔３０Ａにかけてガイド溝３２が形成されている。そして、このガイド溝３２には、後述する係止片３３が、弾性突片４１を嵌合部３１に嵌め込んだ状態で係合する。これにより、係止片３３はガイド溝３２に沿って上下方向にスライド可能とされるとともに、奥側にスライドした際には係止片３３の三角溝４２が設けられた部分が挿通孔３０Ａから突出する係合受部材２２の係止片結合室２３内に挿入される。
【００１９】
係止片３３は図３に示すように、合成樹脂材により一体に形成されており、ガイド溝３２内を上下にスライドして案内路形成部材２０の係合受部材２２と係合するロック位置（図１１及び図１３に示す位置）と、入賞玉集合カバー２１の嵌合部３１内に収容されて係合受部材２２とは非係合状態にある解除位置（図９，１０，１２に示す位置）との間を変位することができる。
なお、以下の説明では断り書きの無い限り、図２および図３の位置（入賞玉集合カバー２１を後ろ側から見たときに、左下に該当する。）を参照しつつ説明する。
【００２０】
係止片３３の中央部のやや下方よりの位置には、操作片３６が突出している。これは係止片３３のスライド操作のためのものであり、何れも外側を向いた状態で組み付けられる。また、係止片３３の一方の端部からは三角溝４２が切り欠き形成されており、その三角溝４２によって形成された一対の脚状部の側面側には、各々に保持凹部３３Ｂが凹み形成されている。三角溝４２が形成されているため、保持凹部３３Ｂは、係止片結合室２３内の保持突部２４に対して弾性的に係合可能である。
【００２１】
一方、操作片３６を境にして三角溝４２とは反対側には、この操作片３６と同じ側に突出する弾性突片４１（本発明の解除規制部に相当する）が撓み変形可能に突設されている。そして、その先端には係止爪４１Ａが突設されており、嵌合部３１内の係止爪用凹部４３に係合可能である。これによって、係止片３３が解除位置に保持される。また、弾性突片４１の先端部分は、後述するロック位置において当接端面４４（嵌合部３１を形成する壁面のうち、係止爪用凹部４３が形成された壁面の先端部分）とほぼ同じ高さに位置する。
【００２２】
係止片３３において上記した保持凹部３３Ｂとは反対側の端部にも同様にして左右一対の保持凹部３３Ａが凹み形成されている。両保持凹部３３Ａは嵌合部３１内に形成された保持突部３１Ａに係合して、係止片３３を解除位置に保持するようになっている。
また、図６中、ガイド溝３２の挿通孔３０Ａ寄りの部分には、半円状に凹み形成されたガイド片嵌合凹部３４が設けられており、ここに円形のガイド片３５をその一部をガイド溝３２に突出させた状態でねじ止めすることができるようになっている。これにより、図８に示すように、係止片３３の一部が後方（図８中、上方）から押さえられ、係止片３３がガイド溝３２から外れることなく円滑にスライド可能とされる。
【００２３】
次に、入賞玉集合カバー２１の取付作業について述べる。まず、案内路形成部材２０を遊技盤１９の裏面に取り付ける。それには、案内路形成部材２０を遊技盤１９の裏面に重ね合わせるとともに、各係合受部材２２の基端部２２Ａをそれぞれ遊技盤１９の凹部１９Ｂに嵌め合わせるようにして案内路形成部材２０を位置決めする。そして、この状態のまま案内路形成部材２０の各取付孔２５にねじ２６を挿入し、これらを遊技盤１９に締め付けて案内路形成部材２０を遊技盤１９の裏面に固定する（図９参照）。
【００２４】
一方、入賞玉集合カバー２１の四つのガイド溝３２内に、係止片３３の弾性突片４１を撓ませながら挿入して、解除位置に待機させておく。そして、案内路形成部材２０を覆うように遊技盤１９の裏面に入賞玉集合カバー２１を重ね合わせる。さらに、入賞玉集合カバー２１の各挿通孔３０Ａに案内路形成部材２０側の各係合受部材２２を挿通させる。これにより、入賞玉集合カバー２１の各係止片収容凹部３０内には、それぞれ係合受部材２２が突出することになる（図１０，図１２を参照）。ここから、各操作片３６をそれぞれ図１０中矢印方向に操作する。すると、係止片３３はロック位置にスライドするから、係止片３３の一端部が係合受部材２２の係止片結合室２３内に挿入される。このとき、弾性突片４１は復帰変形して、当接端面４４の直近に位置する（図１３を参照）。さらに、係止片３３の保持凹部３３Ｂが係止片結合室２３内の保持突部２４に係合するため、係止片３３はロック位置に保持される。これにより、係止片３３と係合受部材２２とは結合状態（図１１，図１３に示す状態）とされ、もって入賞玉集合カバー２１は遊技盤１９の裏面に保持される。このとき、弾性突片４１の先端は、当接端面４４と同じ高さに位置しているため、係止片３３に対して偶発的に解除位置に移動させようとする力が働いても、ロック位置の係合が解除されないようになっている。
【００２５】
次いで、入賞玉集合カバー２１を取り外す場合について述べる。上記、結合状態において、弾性突片４１を押圧して撓ませつつ、操作片３６をそれぞれ図１０で示す矢印方向とは反対方向にスライド操作する。すると、係止片３３は係合受部材２２の係止片結合室２３から抜き出されて解除位置に移行し、このとき係止片３３の保持凹部３３Ａが嵌合部３１内の保持突部３１Ａに係合して、その状態に保持される。これにより、係止片３３と係合受部材２２との結合状態は解除されるから、入賞玉集合カバー２１を遊技盤１９から取り外すことができる。
【００２６】
このように本実施形態によれば、入賞玉集合カバー２１を遊技盤１９の裏面に取り付けるためには、まず遊技盤１９の裏面に案内路形成部材２０を取り付け、その後この案内路形成部材２０に一体に設けられた係合受部材２２に入賞玉集合カバー２１の係止片３３を結合させるだけでよい。
即ち、入賞玉集合カバー２１を取り付けるための一連の作業において、係合受部材２２単独の組付作業は省略される。従って、本実施形態では、従来のように係合受部材２２を個別に組み付ける必要がないからその位置決め作業等が不要とされ、ひいては、入賞玉集合カバー２１の取付作業が容易とされる。
【００２７】
また、このとき保持凹部３３Ｂと保持突部２４の係合に加えて、係止片３３の弾性突片４１が当接端面４４に当接する位置にあるという二つの解除規制部がある。このため、偶発的にロック位置から解除位置に移動するのを妨げられる。なお、この実施形態では、弾性突片４１と当接端面４４との係合力は、保持凹部３３Ｂと保持突部２４との係合力よりも強く設定されている。
さらに、係合受部材２２と案内路形成部材２０とが一体であるから、部品点数を少なくすることができ、もって型代等の経済的負担や部品管理等の管理面での負担を軽減することができる。
【００２８】
しかも、本実施形態では、案内路形成部材２０に中継基板取付台３７も一体に形成されているから、この中継基板取付台３７に対する個別の位置決め及び取付作業が不要とされるなど、一層、作業面・経済面等における負担を軽減することができる。
加えて、各入賞玉受入装置に対応する複数の案内路２８は案内路形成部材２０に形成されているから、遊技盤１９が新しく開発された場合には、この案内路形成部材２０のみ新しい遊技盤１９に対応させれば足りる。
【００２９】
＜第２実施形態＞
次に、本発明の第２実施形態について、図１６〜図２５を参照しつつ説明する。
なお、本実施形態と第１実施形態とにおいて、同様の構成には同一符号を付して説明の一部を省略する。
本実施形態においては、係合受部材２２を上下一対に配置したカバー係止部材５１、案内路形成部材５０及び中継基板取付台５２は、それぞれ別体として形成されており、各々遊技盤１９の裏面に独立して取り付けられる。すなわち、図１６に示すように遊技盤１９の裏面には、案内路形成部材５０、左右に一対のカバー係止部材５１、及び中継基板取付台５２が取り付けられた後、これらの部材を覆うように入賞玉集合カバー５３が取り付けられる。
【００３０】
案内路形成部材５０は樹脂により成形されており、遊技盤１９の開口部１９Ａの左縁と下縁の外方に沿う部分のみが形成されている。この案内路形成部材５０には、遊技領域に配される各入賞玉受入装置に対応して複数の案内路５４が裏面側に膨出するように形成されている。各案内路５４は、第１実施形態における案内路２８と同様の作用効果を以て形成される。
また、案内路形成部材５０の周端部分には、所定の間隔をもって取付孔５０Ａが設けられており、案内路形成部材５０を遊技盤１９に取り付ける際に、ねじ２６が嵌め込まれる。
【００３１】
次に、カバー係止部材５１は左右一対に同じものが配されており、遊技盤１９の上下に位置する凹部１９Ｂ，１９Ｂに対応して係合受部材２２が形成されている。また、カバー係止部材５１の中間部分には、係合凸部５５が設けられている。この係合凸部５５は、入賞玉集合カバー５３が組み付けられたときに、入賞玉集合カバー５３側の係合凹部５６に凹凸嵌合して、入賞玉集合カバー５３と、カバー係止部材５１の位置合わせを容易にすると共に、両部材が組み付いた後にはがたつきをなくすように作用する。
【００３２】
中継基板取付台５２は、図示しない中継基板の形状に合わせて形成されている。第１実施形態において説明したように、中継基板には遊技領域等に配される装飾ランプ等への配線を中継するためのコネクタ等が配置される。中継基板取付台５２の周囲には、所定の位置に取付孔５２Ａが設けられており、ここにねじ２６を嵌め付けることにより、遊技盤１９に中継基板取付台５２を固定する。
【００３３】
入賞玉集合カバー５３は、合成樹脂により方形状をなして形成されており、案内路形成部材５０及びカバー係止部材５１を裏面側から覆うことができるようにされている。この入賞玉集合カバー５３には、遊技盤１９の開口部１９Ａに対応した位置に開口部１９Ａよりも大きな開口部５３Ａが形成されており、入賞玉集合カバー５３を取り付けたときに両開口部１９Ａ，５３Ａが整合するようになっている。
また、入賞玉集合カバー５３の左右両縁部及び上縁部の一部（図１９中、左右両縁部及び上縁部の一部）は僅かに表面側に立ち上がり形成されており、入賞玉集合カバー５３が遊技盤１９に取り付けられたときに、遊技盤１９との間に案内路形成部材５０及びカバー係止部材５１を覆うことができる空間を形成するようになっている。一方、入賞玉集合カバー５３の下縁部は、左右両端部分が上記左右両縁部に連なって立ち上り形成されているが、その他の部分はそのようには形成されていない。このため、入賞玉集合カバー５３を遊技盤１９に取り付けた際には、下面に遊技盤１９との間に開口を形成して案内路５４から落下する入賞玉がこの開口を介して入賞玉集合樋に集められるようになっている。
【００３４】
さらに、入賞玉集合カバー５３の４隅部分、即ち上記カバー係止部材５１に設けられた係合受部材２２が対応する位置には、図１９又は図２０に示すように、それぞれロック機構５７が構成されている。このロック機構５７は、係止片収容凹部３０内に設けられており、入賞玉集合カバー５３の表面側から側面にかけて長細く凹み形成されている。この係止片収容凹部３０の一方の端部には挿通孔３０Ａが形成されており、入賞玉集合カバー５３を遊技盤１９の裏面に組付けると、係合受部材２２がここから係止片収容凹部３０内に突出する。
また、ガイド溝３２の挿通孔３０Ａ寄りの部分には、係止片保持突部５９が突設されている。この係止片保持突部５９は、係止片５８がガイド溝３２に取り付けられたときに、その側面部分に当接するようになっている。このため、係止片５８はガイド溝３２から外れることなく円滑にスライド可能とされる。
【００３５】
上下のロック機構５７の中間位置は、係合凹部５６とされている。この係合凹部５６は、入賞玉集合カバー５３がカバー係止部材５１に組み付けられたときに、前述した係合突部５５に係合可能になっている。
さらに、入賞玉集合カバー５３の下端部分には、案内路５４の出口５４Ａに対応した位置に後面側に突設する３個の誘導壁６０が設けられている。各誘導壁６０の内側は入賞玉集合カバー５３の前面から下面へと連結する通路６３とされており、案内路５４下端部分の出口５４Ａに導かれた入賞玉がさらに下方に位置する図示しない誘導樋に誘導される。このように各案内路５４に応じて誘導壁６０を設けることにより、遊戯台前面にある入賞玉受入装置の位置に応じて賞品玉の個数を例えば７個や１５個と変化させることが容易となる。
誘導壁６０のうち、中央に設けられたものの周囲には所定の領域にわたってスリット６１が縦横に形成されており、中央に位置する誘導壁６０周りの所定領域を容易に切り落とすことができるようになっている。これにより、必要に応じて入賞玉集合カバー５３の下端部中央部分に大きな開口を形成することができる。この開口は、遊技盤１９の種類に応じて設けられる大入賞口、いわゆるアタッカが取り付けられた場合に、遊技盤１９の裏面に突出する図示しないアタッカの後端部分に合わせたアタッカ突出口となる。
【００３６】
なお、両側部に形成された誘導壁６０間には各下端縁同士を連ねる位置にリブ６２が突出形成されている。このリブ６２と中央の誘導壁６０とは分離溝６４を隔てて構成されているため、中央の誘導壁６０を切り落とした後でも、両側部の誘導壁６０の下端縁同士はリブ６２によって連結されている。このため、リブ６２は、入賞玉集合カバー５３の下辺を補強する役割をしており、入賞玉集合カバー５３の下端部を撓み変形し難くしている。
次に、係止片５８の説明を行うが、特に断り書きの無い限り、図２０の位置（入賞玉集合カバー５３を後ろ側から見たときに、左下に該当する。）を参照するものとする。
係止片５８は図２１に示すように、合成樹脂材により一体に形成されており、ガイド溝３２内を上下にスライドして、カバー係止部材５１と係合するロック位置（図２３に示す位置）と、入賞玉集合カバー５３の嵌合部３１内に収容されてカバー係止部材５１とは係合してない解除位置（図２４に示す位置）との間を変位することができる。
【００３７】
本実施形態の係止片５８と、第１実施形態の係止片３３との構成の相違は、保持凹部３３Ａの有無のみである。すなわち、本実施形態の係止片５８では、保持凹部３３Ａが設けられていないため、係止片５８が解除位置にある場合には、弾性突片４１前端部分の係止爪４１Ａのみで嵌合部３１内に係止している。
次に、入賞玉集合カバー５３の取付作業について述べる。まず、案内路形成部材５０、一対のカバー係止部材５１、及び中継基板取付台５２を遊技盤１９の裏面に取り付ける。
【００３８】
案内路形成部材５０を遊技盤１９の裏面の所定の位置に合わせて、取付孔５０Ａにねじ２６を挿入する。同様にして、中継基板取付台５２を遊技盤１９の所定の位置に合わせつつ、ねじ２６で固定する。一方、各カバー係止部材５１については、基端部２２Ａをそれぞれ遊技盤１９の凹部１９Ｂに嵌め合わせるようにして位置決めを行い、各取付孔２５にねじ２６を挿入し、これらを遊技盤１９に締め付けてカバー係止部材５１を遊技盤１９の裏面に固定する。
【００３９】
一方、入賞玉集合カバー５３の四つのガイド溝３２内に、係止片５８の弾性突片４１を撓ませながら挿入して、解除位置に待機させておく。このとき、係止片保持突部５９が、係止片５８の側面を押さえるようにして保持しているため、係止片５８はガイド溝３２から、容易に外れないようになっている。
入賞玉集合カバー５３を遊技盤１９に対して組み付ける手順は、第１実施形態と同様であるため省略する。
【００４０】
このように本実施形態によれば、カバー係止部材５１は上下二つの係合受部材２２を連結して形成されている。このため、入賞玉集合カバー５３を取り付けるための一連の作業において、従来のようにカバー係止部材５１を個別に組み付ける場合に較べて、組付作業が容易となり、その位置決め作業等が不要とされ、ひいては、入賞玉集合カバー５３の取付作業が容易とされる。
また、カバー係止部材５１と案内路形成部材５０とを別体としてあるため、新たな機種の開発によって案内路形成部材５０のみを変更しなければならない場合にも、カバー係止部材５１はそのまま使用できる。このため、案内路形成部材５０のみの金型を作成すればよいため、経済的負担を軽減することができる。
【００４１】
なお、本発明は上記の各実施形態に限定されるものではなく、例えば次のように変形して実施することができ、これらの実施態様も本発明の技術的範囲に属する。
（１）上記の各実施形態では、入賞玉集合カバー側に係止片をスライド可能に設け、これを係合受部材に結合させる構成であったが、以下のように変形してもよい。
▲１▼案内路形成部材、又はカバー係止部材の裏面に筒状の取付部材を立設させ、その先端に係止片を回動可能に設ける。一方、入賞玉集合カバーには取付部材に対応する位置に切欠きを設けておく。そして、各取付部材をそれぞれ切欠きに嵌め込ませながら入賞玉集合カバーを遊技盤の裏面に重ね合わせた後、係止片を回動させて入賞玉集合カバーに係止させる。
【００４２】
▲２▼また、案内路形成部材、又はカバー係止部材の裏面にボス状の係合受部材を立設させる。一方、入賞玉集合カバーにはその係合受部材に対応して、例えばボタン式のクリップを設けておく。そして、このクリップを係合受部材に係合させることにより入賞玉集合カバーを遊技盤の裏面に取り付けるようにしてもよい。要するに、係合部材と係合受部材との係合構造に拘らず、係合受部材が案内路形成部材、又はカバー係止部材に一体に設けられているものであればよい。
【００４３】
（２）上記実施形態では、可変表示装置の後端部が遊技盤の裏面に突出するために、これとの干渉を回避すべく案内路形成部材には、遊技盤の開口部に合わせた位置が貫通できるようにされていた。しかし、可変表示装置等を有さない機種に適用する場合には、案内路形成部材及び入賞玉集合カバーに開口部を形成する必要はない。
【図面の簡単な説明】
【図１】第１実施形態の分解斜視図
【図２】同実施形態におけるカバーのロック機構を示す一部切欠斜視図
【図３】同実施形態における係止片の一部切欠斜視図
【図４】同実施形態における案内路形成部材の一部省略背面図
【図５】図４におけるＡ−Ａ線による一部省略断面図
【図６】同実施形態における入賞玉集合カバーの一部省略背面図
【図７】図６におけるＢ−Ｂ線による一部省略断面図
【図８】図６におけるＧ−Ｇ線による一部省略断面図
【図９】同実施形態における入賞玉集合カバーの取付作業において、遊技盤に案内路形成部材を取り付けた状態を示す一部省略断面図
【図１０】同実施形態における入賞玉集合カバーの取付作業において、遊技盤に入賞玉集合カバーを重ね合わせた状態を示す一部省略断面図
【図１１】同実施形態における入賞玉集合カバーの取付作業において、結合状態を示す一部省略断面図
【図１２】図１０におけるＣ−Ｃ線による一部省略断面図
【図１３】図１１におけるＤ−Ｄ線による一部省略断面図
【図１４】同実施形態におけるパチンコ機の正面図
【図１５】同実施形態における案内路形成部材に中継基板を取り付けたときの斜視図
【図１６】第２実施形態の分解斜視図
【図１７】同実施形態における背面図
【図１８】同実施形態におけるカバー係止部材の一部省略図
【図１９】同実施形態における入賞玉集合カバーの一部省略図
【図２０】同実施形態におけるカバーのロック機構を示す一部切欠斜視図
【図２１】同実施形態における係止片の一部切欠斜視図
【図２２】同実施形態において、解除位置にある係止片とロック機構の関係を示す一部省略断面図
【図２３】同実施形態において、ロック位置にある係止片とロック機構の関係を示す一部省略断面図
【図２４】図１９におけるＥ−Ｅ線による一部省略断面図
【図２５】図１９におけるＦ−Ｆ線による一部省略断面図
【符号の説明】
１９…遊技盤
２０，５０…案内路形成部材
２１，５３…入賞玉集合カバー
２２…係合受部材
２４…保持突部
３３，５８…係止片（係合部材）
３３Ｂ…保持凹部（解除規制部）
４１…弾性突片（解除規制部）
【図１】
0004075091.tif 000002
【図２】
0004075091.tif 000003
【図３】
0004075091.tif 000004
【図４】
0004075091.tif 000005
【図５】
0004075091.tif 000006
【図６】
0004075091.tif 000007
【図７】
0004075091.tif 000008
【図８】
0004075091.tif 000009
【図９】
0004075091.tif 000010
【図１０】
0004075091.tif 000011
【図１１】
0004075091.tif 000012
【図１２】
0004075091.tif 000013
【図１３】
0004075091.tif 000014
【図１４】
0004075091.tif 000015
【図１５】
0004075091.tif 000016
【図１６】
0004075091.tif 000017
【図１７】
0004075091.tif 000018
【図１８】
0004075091.tif 000019
【図１９】
0004075091.tif 000020
【図２０】
0004075091.tif 000021
【図２１】
0004075091.tif 000022
【図２２】
0004075091.tif 000023
【図２３】
0004075091.tif 000024
【図２４】
0004075091.tif 000025
【図２５】
0004075091.tif 000026